(57)【要約】      （修正有）【課題】プッシュボタンスイッチの接続脚の位置決め構造の提供。【解決手段】第二接続脚４０の圧接４２の円弧面彎曲度は底部の円弧状突起の円弧面彎曲度より大きいので、第二接続脚４０の圧接段４２を底部の円弧状突起に配置すると水平に移行しなくなり、本考案の第二接続脚４０を底部に位置決めする。【選択図】図３
0003122324.tif 000002
【実用新案登録請求の範囲】
【請求項１】
内部に布線空間を具えるスイッチ本体と、そのスイッチ本体内に少なくとも二つの分離して設置される第一接続脚及び第二接続脚が含まれ、かつその二つの接続脚には第一接続脚に常態電気性に接続される接続部材が設けられ、その接続部材は力を受けて第二接続脚に押し付け接触して信号の出力を発生し、その中、スイッチ本体の底部には接続孔が備えられ、かつ第二接続脚には接続孔に取り付けられる接脚段及びその接続部材とスイッチ本体底部の間に位置する圧接段が備えられ、その圧接段とスイッチ本体の圧接段に相対する位置の底部はすべて円弧状の突起に現れて第二接続脚の設置を便利にすることを特徴とするプッシュボタンスイッチの接続脚の位置決め構造。
【請求項２】
請求項１記載のプッシュボタンスイッチの接続脚の位置決め構造において、その第二接続脚の圧接段の他端には更に位置限定段が延伸され、並びにスイッチ本体の底部に位置限定段に対応して位置限定孔が設けられてあることを特徴とするプッシュボタンスイッチの接続脚の位置決め構造。
【請求項３】
請求項１記載のプッシュボタンスイッチの接続脚の位置決め構造において、その第二接続脚の圧接段の円弧状突起の円弧面彎曲度は底部の円弧状突起の円弧面彎曲度より大であることを特徴とするプッシュボタンスイッチの接続脚の位置決め構造。
【請求項４】
請求項１記載のプッシュボタンスイッチの接続脚の位置決め構造において、その第二接続脚の圧接段の円弧状突起の円弧面彎曲度は底部の円弧状突起の円弧面彎曲度と等しいであることを特徴とするプッシュボタンスイッチの接続脚の位置決め構造。
【考案の詳細な説明】
【技術分野】
【０００１】
本考案はプッシュボタンスイッチに関するもので、特にプッシュボタンスイッチ内部の接続脚の位置決め構造を指したものである。
【背景技術】
【０００２】
マルチ指令スイッチは現在普遍に携帯電話、ＰＤＡ、コンピュータのキーボード等を含む各種情報家電の製品に応用され、マルチ指令スイッチに多段変化の導通効果があることによって複数組の回路信号を発生することができ、それによって単一のスイッチで多くの動作を執行することができ、情報製品の組み立て体積を減少する目的が達成され、尚且つ使用が便利である利点が得られる。
【０００３】
特許文献１そのスイッチには台が含まれ、その台には上方が開放状の中空容置室があり、その容置室には電極部が設けられ、かつ電極部にはばねが設置され、そのばねには上部プッシュボタン及び下部プッシュボタンを含むプッシュボタンアセンブリが設けられ、更に台には容置室を閉鎖する蓋が配置され、その蓋には上部プッシュボタンの突き出しに供される透かし孔があり、それの特徴は上部プッシュボタンには支持部があって容置室内に制限され、かつ上部プッシュボタンには接合溝が設けられてあり、その下部プッシュボタンは接合溝内に満足して位置決めされ、かつ接合溝の位置決め区域を越えない受圧部、及びその下部プッシュボタンの受圧部とばねの間に設けられてある圧制部から構成される。その信号の発生は圧制部がばねを押し付け、ばねが変形して電極部と接触して電気性の接続が発生したからによる。
【０００４】
現有のスイッチ内部の回路布設の設計の多くは、接続脚とスイッチ本体を埋め込み射出成型法を採用して作られているが、情報製品の使用機能がますます増えているので、単一スイッチには多くの機能信号の発生ができなければならなく、例えば、特許文献２では単一スイッチ本体に多くの違った信号出力を同時に発生しなければならなく、更に多くの接続脚を同時に埋め込み射出する回路布局が極めて難しいので、特許文献３では最も難しく回路布局に併入される第二接続脚を分離方式の組み込みを採用しているが、第二接続脚は折り曲げてスイッチ本体内部の圧接段に位置し、及びスイッチ本体外部の接脚段に位置するように形成しなければならなく、ところがスイッチ本体の全体体積がかなり小さいので、相対して接続脚の体積は更に微小に現れ、そのために常に第二接続脚の組み付け時に位置決め困難が発生し、または組み付け時に不注意によって接触して第二接続脚を折り曲げし過ぎ、圧接段が曲がった状態になって第二接続脚から誤信号が発生するよう影響される。
【０００５】
【特許文献１】台湾実用新案第Ｍ248006号明細書
【特許文献２】台湾特許第570281号明細書
【特許文献３】台湾特許第570279号明細書
【考案の開示】
【考案が解決しようとする課題】
【０００６】
本考案の主要目的は上述欠点を解決し、欠点の存在を避けるもので、本考案はプッシュボタンスイッチの接続脚の位置決め構造に係るもので、それは第二接続脚がプッシュボタンスイッチの絶縁台にうまく位置決めすることができない状況を改善するため、接続脚と台の間に対応して互いに組み合せられる形状を利用して接続脚の活動の制限を提出したもので、第二接続脚を組み付ける時には台の形状によってよい位置決めが得られる。
【０００７】
上述目的を達成するため、プッシュボタンスイッチの絶縁台に設置される第二接続脚は台に埋設される接脚部及びスイッチ内に位置する圧接段が含まれ、そのスイッチは押す動作を通じて導接部材の第二接続脚と第一接続脚を電気性に接続させ、その圧接段とスイッチ本体の圧接段に相対する位置の底部はすべて円弧状の突起に現れているので、第二接続脚の圧接段を確実に底部に位置決めさせる目的が達成される。
【課題を解決するための手段】
【０００８】
請求項１の考案は、内部に布線空間を具えるスイッチ本体と、そのスイッチ本体内に少なくとも二つの分離して設置された第一接続脚及び第二接続脚が含まれ、かつその二つの接続脚には第一接続脚に常態電気性に接続される接続部材が設けられ、その接続部材は力を受けて第二接続脚に押し付け接触して信号の出力を発生し、その中、スイッチ本体の底部には接続孔が備えられ、かつ第二接続脚には接続孔に取り付けられる接脚段及びその接続部材とスイッチ本体底部の間に位置する圧接段が備えられ、その圧接段とスイッチ本体の圧接段に相対する位置の底部はすべて円弧状の突起に現れて第二接続脚の設置を便利にすることを特徴とするプッシュボタンスイッチの接続脚の位置決め構造としている。
請求項２の考案は、請求項１記載のプッシュボタンスイッチの接続脚の位置決め構造において、その第二接続脚の圧接段の他端には更に位置限定段が延伸され、並びにスイッチ本体の底部に位置限定段に対応して位置限定孔が設けられてあることを特徴とするプッシュボタンスイッチの接続脚の位置決め構造としている。
請求項３の考案は、請求項１記載のプッシュボタンスイッチの接続脚の位置決め構造において、その第二接続脚の圧接段の円弧状突起の円弧面彎曲度は底部の円弧状突起の円弧面彎曲度より大であることを特徴とするプッシュボタンスイッチの接続脚の位置決め構造としている。
請求項４の考案は、請求項１記載のプッシュボタンスイッチの接続脚の位置決め構造において、その第二接続脚の圧接段の円弧状突起の円弧面彎曲度は底部の円弧状突起の円弧面彎曲度と等しいであることを特徴とするプッシュボタンスイッチの接続脚の位置決め構造としている。
【考案の効果】
【０００９】
本考案に述べた接続脚の位置決め構造はマイクロプッシュボタンスイッチの製造時に起きる第二接続脚40が常に正確に台20に制限されない問題を解決し、特にマルチ指令プッシュボタンスイッチでは底台に多くの接続脚が設置されているので、布線空間21の運用は更に重要に現れ、相対して言えば、第二接続脚40が正確に位置限定されないと信号錯乱の問題が発生する。本考案の接続脚位置決め構造を使用すれば第二接続脚40はよりよい位置決め効果を得ることができ、圧接段42の曲げまたは偏移が避けられるので、第二接続脚40の占用する布線空間21が最も少ない状況に於いて、依然正確な信号を発生することができ、スイッチの品質はもちろん向上する。
【考案を実施するための最良の形態】
【００１０】
図１及び図２は本考案プッシュボタンスイッチの最適実施例の外観立体図及び構造分解表示図を開示し、図面に示すように、本考案はプッシュボタンスイッチに関するもので、それのスイッチ本体は蓋10及び台20の組み付けから構成され、そのスイッチ本体の内部には布線空間21が形成され、並びに埋め込み射出方式をもって第一接続脚60及び第二接続脚40を設置し、各接続脚には折り曲げられて分離してスイッチ本体に固定される接脚段41、62と、台20の接脚段41、62に対応して予め設けられた接続孔22が備えられ、接脚段41、62はスイッチ本体の外部まで延伸して外部の信号源に接続され、各接続脚は布線空間21内に於いて台20の表面に圧接段42、61が設けられてある。本案の特色は第二接続脚40の圧接段42及びスイッチ本体の第二接続脚40の圧接段42に相対する個所はすべて円弧状の突起に現れているので、第二接続脚40はこの形状の組み合わせによってスイッチ本体上に位置限定される。
【００１１】
また、蓋10には孔11が設けられてプッシュ部材30が設置され、プッシュ部材30と接続脚の間には導接部材50が配置され、導接部材50は円形のばね片でよく、周縁は接触部52で常態電気性に第一接続脚60の圧接段61に連接され、中央区域は円弧状の円頂部51で第二接続脚40の上に跨って設けられ、本実施例ではプッシュ部材30が力を受けていない状態に於いて、プッシュ部材30は重力をもって導接部材50の円頂部51に寄せ置かれ、プッシュ部材30は更に位置制限部311が設けられ、円頂部51及び蓋10の位置限定によってプッシュ部材30は布線空間21の内部に制限されてスイッチ本体から脱落しなくなる。
【００１２】
図３及び図４本考案の作動表示図を参照ください。図面に示すように、プッシュ部材30が押す動作を受けると上、下に移動する動作が発生し、それは押す動作を受けて直接それに力が施されるプッシュボタン31が含まれ、そのプッシュボタン31には制止ボタン32が取り付けられ、プッシュボタン31が力を受けて移動した場合は導接部材50に対して制止する。図３はプッシュボタンが押さえられていない状態であり、図４の押す動作はプッシュボタン31を下へ移動させて制止ボタン32は導接部材50に押し付け、制止ボタン32にはそれぞれ円頂部51及び接触部52を押す圧制端321が設けられ、制止ボタン32がプッシュボタン31に押し付けられた場合、圧制端321は導接部材50の接触部52を安定して第一接続脚60の圧接段61に押し付け、並びに円頂部51を変形させて第二接続脚40の圧接段42に押し付け、第二接続脚40及び第一接続脚60の圧接段42、61はともにこの毎回の押し付け動作によって安定した電気性の連接を得ることができ、第二接続脚40及び第一接続脚60は導接部材50を通じて両者の電気性導通を形成して信号が発生する。押す動作が完成されると、プッシュ部材30は力を受けない状態になって導接部材50によって原状に回復し、プッシュ部材30は元の位置に押さえ戻され、それと同時に第一接続脚60及び第二接続脚40の電気性導通の状態は解除される。この種のプッシュボタンスイッチはかなり微小であるので、接続脚40、60は埋め込み射出方式をもって内部に配置され、第二接続脚40は前述本考案の設計を通じて、圧接段42及び台20にある対応の円弧状突起によって互いに接触し、安定して台20に位置決めされ水平に移動しなくなり、また、円頂部51が押さえられて変形すると、導接部材50と第二接続脚40の相対距離が小さくなり、相対して導接部材50の変形量はそのように大きくなくても円頂部51は第二接続脚40の圧接段42に接触して電気性連接を発生することができ、押さえ動作によって起こる誤差を減少することができる。
【００１３】
更に本考案の接続脚の位置決め構造を説明するため、図３本考案の第二接続脚40の最適実施例の外観立体表示図を参照ください。図面に示すように、最適実施例中の第二接続脚40の圧接段42の円弧状突起の円弧面彎曲度は底部の円弧状突起の円弧面彎曲度より大きいので、第二接続脚40の圧接段42を底部の円弧状突起に配置すると水平に移行しなくなり、本考案の第二接続脚40を底部に位置決めする目的が達成される。この設計は圧接段42と底部の円弧状突起が互いに組み合せるかに限定されなく、図５に於いて、第二接続脚40の圧接段42の円弧状突起の円弧面彎曲度は底部の円弧状突起の円弧面彎曲度と等しいが、それは同じく第二接続脚40を底部に位置決めすることができる。
【００１４】
この外、再び図２と図３に示すように、第二接続脚40を台20の上に固定する位置限定効果を増やすため、第二接続脚40には更に位置限定段43を設けてもよく、並びに位置限定段43を台20の位置限定段43に相対して設けられた位置限定孔23に埋設して第二接続脚40の位置限定効果を増やすことができ、位置限定段43の最適設置位置を接脚段41の相対個所の二点位置決めに形成すれば、第二接続脚40はよりよい位置決め効果を得ることができる。
【図面の簡単な説明】
【００１５】
【図１】本考案の外観立体表示図。
【図２】本考案の構造分解表示図。
【図３】本考案の作動表示図。
【図４】本考案の作動表示図。
【図５】本考案の別の実施例の表示図。
【符号の説明】
【００１６】
10  蓋
20  台
21  布線空間
60  第一接続脚
40  第二接続脚
41、62  接脚段
22  接続孔
42、61  圧接段
11  孔
30  プッシュ部材
50  導接部材
52  接触部
51  円頂部
311  位置制限部
31  プッシュボタン
32  制止ボタン
321  押す圧制端
43  位置限定段
23  位置限定孔
【図１】
0003122324.tif 000003
【図２】
0003122324.tif 000004
【図３】
0003122324.tif 000005
【図４】
0003122324.tif 000006
【図５】
0003122324.tif 000007